(57)【要約】【課題】濡れた状態の傘をハンドバックに入れる為の傘入れ袋を提案する。【解決手段】傘入れ袋１は、袋体２と長尺部材３によって構成されている。袋体２は、一枚の長方形のシート１２が二つ折りされ、表側のシート１０と裏側のシート１１が折り重なった形状であり、３辺の内の２辺５，６が接合されたものであり、残る短辺７だけが開放されている。長尺部材３は、帯であり、環状に結ぶことができる。長尺部材３は、その中央部が、開口部９の表側シート１０の外側に沿って接合されている。開口部９から空間４０に折り畳み傘４１を入れて、続いて開口部９を長尺部材３の接合領域４５及び補強部１６，１７を芯にして折り曲げて行き、最後に長尺部材３の接続部材３３を接続し、長尺部材３を環状に結ぶ。その結果、開口部９が弓状をなし、シート同士の接触面に強いストレスが掛かり、気密状態となる。【選択図】  図１
2010273883.tif 000002
【特許請求の範囲】
【請求項１】
袋体と長尺部材とを有し、前記袋体は、遮水性と可撓性を有する素材で作られたものであって一端側だけが開口し、長尺部材は環状に接続する接続部材を有し、前記長尺部材を環状に接続した状態における周長は、袋体の開口近傍の周長の０．５倍以上１倍以下であり、前記長尺部材は一部を残して袋体の開口部に取り付けられ、袋体の内部に折り畳み傘を折り畳み状態で収納可能であり、その状態で、袋体の開口近傍を前記長尺部材を内側あるいは外側にして複数回折り込むことが可能であり、袋体の開口近傍を折り込んだ状態で長尺部材の接続部材を接続して長尺部材を環状にすることが可能であることを特徴とする傘入れ袋。
【請求項２】
袋体は、一枚の長方形のシートが二つ折りされ、表側のシートと裏側のシートが折り重なった形状であって３辺の内の２辺が接合され、残る一辺だけが開口する封筒形状であり、開口部分を構成する表側シートと裏側シートの一方の外側に長尺部材の中央部が接合され、表側シートと裏側シートの前記一方又は他方の少なくともいずれかには、開口端がさらに内側に折り重ねられて接合された補強部が形成されていることを特徴とする請求項１に記載の傘入れ袋。
【発明の詳細な説明】
【技術分野】
【０００１】
本発明は、傘を入れる袋に関するものであり、特に、水に濡れた折り畳み傘を折り畳んだ状態で収納する袋であって、鞄等に入れても他の収納物を濡らすことのない傘入れ袋に関するものである。
【背景技術】
【０００２】
周知の傘として折り畳み傘がある。折り畳み傘は、柄の部分が３段又は２段の入れ子状になっており、柄の部分を２分の１又は３分の１に縮めることができる。また雨よけ部分についても折り畳むことができる構造となっており、折り畳んで全体形状を小さくすることができる。
【０００３】
折り畳み傘は、家を出る際には晴れているが、後に天気が崩れると予想される際に重宝であり、折り畳んだ状態で、ハンドバック等に入れて持ち運び、雨が降りだすと、ハンドバックから取り出した後、柄を伸ばし、雨よけ部分を広げて用をなす。
【先行技術文献】
【特許文献】
【０００４】
【特許文献１】特開平７−２８９３３４号公報
【特許文献２】特開２００４−３２９８０６号公報
【発明の概要】
【発明が解決しようとする課題】
【０００５】
ところで一旦降りだした雨が帰宅前に止んでしまったり、地下街やビル内に入って傘が不要となる場合が多々ある。
この様な場合、傘が濡れているので、畳んだ状態でハンドバックに入れることはためらわれる。そのため柄を伸ばした状態で持ち歩くこととなるが、持ち歩く際の振動で、雨よけ部分の骨が折り畳まれてしまう。そのため折り畳み傘は通常の傘に比べて傘形状のままでは持ち運び難い。
【０００６】
本発明は、従来技術の上記した問題点に注目し、濡れた状態の傘をハンドバックに入れる為の傘入れ袋を提案するものである。
【課題を解決するための手段】
【０００７】
上記した課題を解決するための請求項１に記載の発明は、袋体と長尺部材とを有し、前記袋体は、遮水性と可撓性を有する素材で作られたものであって一端側だけが開口し、長尺部材は環状に接続する接続部材を有し、前記長尺部材を環状に接続した状態における周長は、袋体の開口近傍の周長の０．５倍以上１倍以下であり、前記長尺部材は一部を残して袋体の開口部に取り付けられ、袋体の内部に折り畳み傘を折り畳み状態で収納可能であり、その状態で、袋体の開口近傍を前記長尺部材を内側あるいは外側にして複数回折り込むことが可能であり、袋体の開口近傍を折り込んだ状態で長尺部材の接続部材を接続して長尺部材を環状にすることが可能であることを特徴とする傘入れ袋である。
【０００８】
本発明の傘入れ袋は、中に濡れた状態の傘を入れ、その袋入りの状態で傘をハンドバック等に入れる用途に使用する。
本発明の傘入れ袋は、遮水性を有する素材で作られているから、雨に濡れた傘をハンドバッグに入れても、袋の本体部分から水が漏れることはない。
また本発明の傘入れ袋は、袋体の開口近傍を前記長尺部材を内側あるいは外側にして複数回折り込むことが可能であるから、開口部分から水漏れすることもない。本発明では、長尺部材は、開口近傍を折り込む際の芯としても機能する。
さらに本発明では、袋体の開口近傍を折り込んだ状態で長尺部材の接続部材を接続して長尺部材を環状にするが、長尺部材を環状に接続した状態における周長は、袋体の開口近傍の周長の０．５倍以上１倍以下であるから、折り込み部分が弓状に反り、折り込んだ部位が容易に復元しない。そのためハンドバッグの中で開口部分が開くことはない。
【０００９】
請求項２に記載の発明は、袋体は、一枚の長方形のシートが二つ折りされ、表側のシートと裏側のシートが折り重なった形状であって３辺の内の２辺が接合され、残る一辺だけが開口する封筒形状であり、開口部分を構成する表側シートと裏側シートの一方の外側に長尺部材の中央部が接合され、表側シートと裏側シートの前記一方又は他方の少なくともいずれかには、開口端がさらに内側に折り重ねられて接合された補強部が形成されていることを特徴とする請求項１に記載の傘入れ袋である。
【００１０】
本発明の傘入れ袋は、表側シートと裏側シートによって構成される封筒形状であるから、内部に傘が入っていない状態においては、平面的形状であり、厚さが薄い。そのため折り畳んだり巻く等による小型化が容易であり、ハンドバック中に常備していても嵩張らない。
また袋体の開口端がさらに内側に折り重ねられて接合された補強部が形成されているので、前記した長尺部材と同様に、開口近傍を折り込む際の芯としても作用する。
本発明の本発明の傘入れ袋は、一枚の長方形のシートを二つ折りして作られているから、接合箇所が２辺だけで足り、製造が容易である。
【発明の効果】
【００１１】
本発明の傘入れ袋は、濡れた状態の傘を入れても水漏れしない。そのため本発明の傘入れ袋の中に濡れた状態の傘を入れ、その袋入りの状態で傘をハンドバック等に入れて傘を持ち運ぶことができる。
【図面の簡単な説明】
【００１２】
【図１】本発明の傘入れ袋及び折り畳み傘の斜視図である。
【図２】図１に示す傘入れ袋の開口を封止する手順を示す傘入れ袋の側面図である。
【図３】図１に示す傘入れ袋に傘を入れて開口を封止した状態における斜視図である。
【図４】図１に示す傘入れ袋の製造方法の一例を示す斜視図である。
【図５】図１に示す傘入れ袋の製造方法の他の例を示す斜視図である。
【図６】図１に示す傘入れ袋の製造方法の例であって図５に続く工程を示す斜視図である。
【図７】図１に示す傘入れ袋の分解斜視図である。
【図８】図１に示す傘入れ袋で採用する接続部材の斜視図であり、接続を解除した状態を示す。
【図９】図８に示す接続部材の斜視図であり、接続状態を示す。
【発明を実施するための形態】
【００１３】
以下さらに本発明の実施形態について説明する。
本実施形態の傘入れ袋１は、図１，図３の様に袋体２と長尺部材３によって構成されている。
袋体２は、０．１ｍｍから０．４ｍｍ程度のシートを素材とするものであり、封筒形状であって、一端側が開口する。
即ち袋体２は平面視が長方形であり、二つの長辺５，６と、二つの短辺を持つ。袋体２は、表側シート１０と裏側シート１１を有し、前記した４辺の内、二つの長辺５，６と一つの短辺８が閉塞し、残る短辺７が開口部９となっている。
【００１４】
袋体２の形は、図４の様に、一枚の長方形のシート１２が二つ折りされ、表側のシート１０と裏側のシート１１が折り重なった形状であり、３辺の内の２辺５，６が接合されたものである。そして短辺の一つは折り曲げ部１４であるから閉塞しており、残る短辺７だけが開放されている。
また袋体２の開口端は、表側のシート１０と裏側のシート１１の双方共に内側に折り曲げられている。当該折り曲げ部１５は、重なり部分が接合されており補強部１６，１７が形成されている。
【００１５】
袋体２の素材には、熱可塑性ポリウレタン樹脂や、ポリ塩化ビニル等の遮水性を有する樹脂が使用されている。袋体２は可撓性を持ち、折り曲げたり巻物状に巻くことができる。
【００１６】
袋体２の製造方法は任意であるが、例えば図５の様にシート１２を押し出し（ａ領域）、シート１２を走行させつつ図示しないガイド等によって、両辺を小さく折り重ねる（ｂ領域）。そして当該折り重ね部を図示しない加熱プレスや高周波融着或いは超音波融着等の公知の接合手段を利用して補強部１６，１７を作る（ｃ領域）。
続いて一辺側２０を他辺側に向かって折り重ねる（ｄ領域）。ｄ領域においては、シート１２を重ねるだけで接合はしない。
【００１７】
またプレス２２によって、樹脂の流れ方向に対して垂直方向に延びる押し目２３を入れる。押し目２３は、図５の様に一定間隔で設ける。
最後に図６の様に、押し目２３の中央でシートを切断し、袋体２を個々に分離する。
分離された袋体２は、一枚の長方形のシート１２が二つ折りされ、表側のシート１０と裏側のシート１１が折り重なった形状であって３辺の内の２辺５，６が接合され、残る一辺だけが開口する封筒形状である。また開口端側のシートは、さらに内側に折り重ねられて接合された補強部１６，１７が形成されている。
【００１８】
袋体２の大きさは、長さ３０ｃｍから４０ｃｍ程度、より好ましくは、長さ３３ｃｍから３６ｃｍ程度であり、幅は、８ｃｍから１５ｃｍ程、より好ましい幅は、１０ｃｍから１２ｃｍ程度である。
本実施形態では、袋体２の全厚は、表側のシート１０と裏側のシート１１の個々の厚さの合計である。ただしシート１２が可撓性を有するので、開口部９を広げると、内部に傘４１を収納する空間４０が形成される。
【００１９】
一方、長尺部材３は、ポリプロピレン製繊維で織られた帯であり、可撓性を有している。長尺部材は、両端に接合部材片２４，２５が設けられており、接合部材片２４，２５同士を係合して長尺部材３を環状に結ぶことができる。
【００２０】
接合部材片２５は、雄側接合部材片であり、三本の突起２６，２７，２８が突出している。そして両端側の突起２６，２８は先端に膨らみ部３５を持つ。
【００２１】
一方、接合部材片２４は、雌側接合部材片であり、枠状をしていて内部に空洞部２９がある。また雌側接合部材片２４は、先端側に空洞部２９に繋がる開口３０があり、両側面にも、空洞部２９に繋がる開口３１，３２がある。
接続部材３３は、雄側接合部材片２５の突起２６，２７，２８を雌側接合部材片２４の空洞部２９に挿入することによって結合される。即ち雄側接合部材片２５の突起２６，２７，２８を雌側接合部材片２４の先端側の開口３０に押し込むと、両端側の突起２６，２８が内側に撓んで突起２６，２７，２８が開口３０から空洞部２９に入る。
そして先端の膨らみ部３５が雌側接合部材片２４の側面に設けられた開口３１，３２に至ると、突起２６，２８が自己の弾性によって外側に広がり、突起２６，２８先端の膨らみ部３５が、雌側接合部材片２４の開口３１，３２と係合する。その結果、接続部材３３は、接合状態となり、雄側接合部材片２５と雌側接合部材片２４を反対方向に引っ張っても両者は離れない。
【００２２】
ただし、手指で雌側接合部材片２４の側面の開口３１，３２部に突出した突起２６，２８を内側に押圧すると、突起２６，２８が弾性に抗して内側に撓み、この膨らみ部３５と開口３１，３２との係合が解ける。この状態で、雄側接合部材片２５と雌側接合部材片２４を反対方向に引っ張ると、両者は分離する。
【００２３】
長尺部材３の接続部材３３を接続し、長尺部材３を環状に繋いだ状態における長尺部材３の内周長Ａは、前記した袋体２の開口部９の外周長Ｂよりも短く、長尺部材３の内周長Ａは、開口部９の外周長Ｂの０．５倍以上１倍以下である（図７）。
またより望ましくは、長尺部材３の内周長Ａは、開口部９の外周長Ｂの０．６倍以上０．８倍以下である。本実施形態では、両者の関係は、０．７倍である。
【００２４】
長尺部材３は、その中央部が、開口部９の表側シート１０の外側に沿って接合されている。
そのため長尺部材３の両端部（雄側接合部材片２５と雌側接合部材片２４を含む）は、フリー状態である。
【００２５】
本実施形態の傘入れ袋１は、図１の様に、開口部９から内部の空間４０に折り畳み傘４１を入れて使用する。なお折り畳み傘４１は、柄の部分が３段の入れ子状になっていることが望ましい。
【００２６】
そして続いて開口部９を長尺部材３の接合領域４５及び補強部１６，１７を芯にして図２の様に折り曲げていく（図２では、表側のシート１０が下になる様に作図している）。
言い換えると、袋体２の開口部９の近傍部分を、長尺部材３を内側にして折り込む。或いは逆に長尺部材３を外側にして折り込む。
そして２から３回程度、袋体の開口近傍を折り込んだ状態で図３の様に長尺部材３の接続部材３３を接続し、長尺部材３を環状に結ぶ。
【００２７】
ここで前記した様に  長尺部材３を環状に繋いだ状態における長尺部材３の内周長Ａは、前記した袋体２の開口部９の外周長Ｂよりも短く、長尺部材３の内周長Ａは、開口部９の外周長Ｂの０．７倍に過ぎないから、長尺部材３を環状に繋ぐと、袋体２の開口部９が反る。より詳細には、開口部９が弓状をなし、長尺部材３の両端部（フリー状態の部位）４３が弦状となる。その結果、開口部９における弓状の外側に位置するシートが引っ張り状態となり、内側のシートが圧縮状態となり、シート同士の接触面に強いストレスが掛かる。そのため開口部９は締めつけられ、気密状態となる。また開口部９の折り畳み形状が容易に解けない状態となる。
そのため袋体２に水があっても、当該水が外に漏れ出ることはない。
【００２８】
この様に、傘４１が中に入った状態の傘入れ袋１を、ハンドバック等の鞄に入れると、たとえ傘が濡れていても、ハンドバックの中を濡らすことはない。
また本実施形態では、長尺部材３が環状になるから、当該部位を把手として利用し、傘４１を入れた状態の傘入れ袋１を、手持ちすることができる。
【符号の説明】
【００２９】
１  傘入れ袋
２  袋体
３  長尺部材
９  開口部
１０  表側シート
１１  裏側シート
１６，１７  補強部
２４  雌側接合部材片
２５  雄側接合部材片
３３  接続部材
【図１】
2010273883.tif 000003
【図２】
2010273883.tif 000004
【図３】
2010273883.tif 000005
【図４】
2010273883.tif 000006
【図５】
2010273883.tif 000007
【図６】
2010273883.tif 000008
【図７】
2010273883.tif 000009
【図８】
2010273883.tif 000010
【図９】
2010273883.tif 000011